(57)【要約】【課題】ディスク排出時に、ターンテーブルからディスクが容易に離脱できるディスク再生装置を得る。【解決手段】この発明に係るディスク再生装置は、ディスク２を載置して回転させるターンテーブル６と、排出時にディスク２の一端の下面に当接して押し上げ、ターンテーブル６から離脱させるローラ５と、クランプユニット７に回動自在に軸止され、排出時にディスク２の周面に当接して排出方向に回動付勢することにより、ディスク当接部１ａに形成されたテーパ部に沿ってディスク２の他端を上昇移動させ、ディスク２をターンテーブル６に対して平行に姿勢修正する回動レバー１とを備えている。【選択図】図５
2007257795.tif 000002
【特許請求の範囲】
【請求項１】
ディスクを載置して回転させるターンテーブルと、
排出時にスライド部材の後退によって解放されて上昇し、ディスクの一端の下面に当接して押し上げ、前記ターンテーブルから離脱させるローラと、
筐体の内側に回動自在に軸止され、前記後退するスライド部材で回動されて前記ディスクを上昇させて前記ターンテーブルに対して平行にさせる姿勢修正手段とを備えたディスク再生装置。
【請求項２】
姿勢修正手段は、筐体の内側に回動自在に軸止され、前記後退するスライド部材で回動されてディスクの周面に当接して排出方向に回動付勢することにより、ディスク当接部に形成されたテーパ部に沿ってディスクの他端を上昇移動させる回動レバーを備えていることを特徴とする請求項１記載のディスク再生装置。
【請求項３】
姿勢修正手段は、筐体の内側に回動自在に軸止され、前記後退するスライド部材で回動されてディスクの周面に当接して排出方向に回動付勢する回動レバーと、
筐体のフレーム内側に揺動自在に軸止され、前記回動レバーが一端に乗り上げることにより、他端が上昇してディスク下面を押し上げる揺動レバーとを備えていることを特徴とする請求項１記載のディスク再生装置。
【発明の詳細な説明】
【技術分野】
【０００１】
この発明は、ディスク排出時に、ディスクの姿勢修正を行うディスク再生装置に関するものである。
【背景技術】
【０００２】
従来のディスク再生装置は、ディスクをクランプするクランプ部材の下部に回動自在に配置された回動レバーと、フレームの側面内側に配置されるスライド部材及びギアユニットと、フレームにより支持されるローラ、フレームの中央部に配置されたターンテーブルを備えている。ギアユニットはモータから駆動力を伝達されて正／逆回転を行う。
【０００３】
ディスク挿入時には、ローラとギアユニットは噛み合っており、ギアユニットが回転することにより、ローラはディスクを挿入方向へ搬送する。搬送されたディスクが回動レバーのディスク当接部に当接すると、回動レバーを回動させる。回動レバーが回動すると、回動レバーの作動部がスライド部材に当接してスライド部材を前進させる。スライド部材はテーパによりローラの降下を行い、それに伴い、ローラ上に当接しているディスクも降下する。降下したディスクのセンターホールに対してターンテーブルが嵌入される。
【０００４】
一方、ディスク排出時には、ギアユニットを挿入時と逆回転させて、ギアユニットと噛み合った状態のスライド部材を後進させる。スライド部材が後進すると、ローラが上昇してディスク下面の一端に当接する。ローラとディスクが上昇を継続すると、ディスクの一端が持ち上げられて、ディスクのセンターホールがターンテーブルから外れる。そして、ローラが上昇してギアユニットと噛み合うことにより、ローラは逆回転してディスクを排出させる。
【０００５】
また、メディア（ディスク等）の当接を利用するものとしては、特許文献１記載の記録媒体再生装置がある。同装置は、搬入経路に突出して所定の厚み以下の挿入物とは干渉せず、ＣＤ−ＲＯＭキャディが挿入された場合には同キャディに押されて搬入経路から退避（状態変位）するキャディ当接部と、挿入されたメディアがディスク再生位置へ到達するのを規制する開閉扉と、キャディ当接部の状態変位を開閉扉に伝達して開放する扉支持部材を備えたものである。
【０００６】
【特許文献１】特開平７−１５３１５５号公報
【発明の開示】
【発明が解決しようとする課題】
【０００７】
従来のディスク再生装置は、以上のように構成されていたので、ローラはディスク一端の下面のみを支持して上昇しているので、ディスクが傾斜した状態で持ち上げられていた。
その結果、ディスクのセンターホールの内径が小さかったり、センターホールの内側にバリが残っている等の製造状態が粗悪なディスクが挿入された場合に、センターホールとターンテーブルとの嵌合がきつくなり、ディスク排出時にセンターホールがターンテーブルから容易に抜けなくなるという課題があった。
また、規格寸法等に問題がないディスクが挿入された場合でも、長時間センターホールにターンテーブルが嵌入された状態が続くと、湿度や周囲温度により、ターンテーブルの周囲に設けられたゴムシートがディスク下面に貼り付いて、容易に抜けなくなるという課題があった。
【０００８】
この発明は上記のような課題を解消するためになされたもので、ディスク排出時に、ローラによるディスク上昇を補助してディスクをターンテーブルに対して水平に保持する姿勢修正を行うことにより、ターンテーブルからディスクが容易に離脱できるディスク再生装置を得ることを目的とする。
【課題を解決するための手段】
【０００９】
この発明に係るディスク再生装置は、ディスクを載置して回転させるターンテーブルと、排出時にスライド部材の後退によって解放されて上昇し、ディスクの一端の下面に当接して押し上げ、前記ターンテーブルから離脱させるローラと、筐体の内側に回動自在に軸止され、前記後退するスライド部材で回動されて前記ディスクを上昇させて前記ターンテーブルに対して平行にさせる姿勢修正手段とを備えたものである。
【発明の効果】
【００１０】
この発明によれば、ディスク排出時に、姿勢修正手段でローラによるディスクの上昇を補助して、ディスクをターンテーブルに対して平行にさせているので、ディスクのセンターホールの内径が小さかったりバリが発生している場合や、ディスクの下面がゴムシートに貼り付いている場合でも、ターンテーブルからディスクが容易に離脱される効果が得られる。
【発明を実施するための最良の形態】
【００１１】
実施の形態１．
以下、この発明の実施の形態１について説明する。なお、以降の説明で「ディスク」とは、記憶媒体（ＤＶＤ、ＣＤ、ＣＤ−Ｒ等）を指すものとする。
図１は、この発明の実施の形態１に係るディスク再生装置の内部構成を示した斜視図、図２は、図１のディスク再生装置からクランプユニット及びフレームを省略した状態を示した斜視図、図３は、図２から変化して、ディスクがターンテーブルの近傍に位置する状態を示した斜視図、図４は、図３から変化して、ディスクのセンターホールにターンテーブルが嵌入された状態を示した斜視図、図５は、ディスク排出時にローラと姿勢修正機構により、ディスクがターンテーブルから離脱される様子を示した図、図６は、図５中の破線部分Ｆを拡大した図である。
なお、便宜上、ディスク再生装置の縦、横、高さ方向を、それぞれＸ，Ｙ，Ｚ方向（図１参照）とする。
【００１２】
次に、図１〜６に基づいて、実施の形態１に係るディスク再生装置の構成について説明する。
図１，２に示すように、本ディスク再生装置は、筐体のフレーム８と、フレーム８の側面内側に配置されてモータ（図示せず）の駆動力を伝達されて正／逆回転を行うギアユニット４と、フレーム８に支持されてギアユニット４と噛み合うことにより回転してディスク２を搬送するローラ５と、挿入されたディスク２に当接して回動される回動レバー１と、フレーム８の側面内側に配置されて回動レバー１に押されてギアユニット４と噛み合うスライド部材３と、フレーム８の中央付近に配置されてディスク２を回転させるターンテーブル６と、ターンテーブル６上にディスク２を保持するクランプユニット７を備えている。
【００１３】
また、スライド部材３にはギアユニット４と噛み合うラック部３ａが形成されている。
ターンテーブル６の周囲には、ディスク２がターンテーブル６に嵌入された際にディスク２の下面が当接するゴムシート６ａが配設されている。
回動レバー１は、ディスク２の周面に当接するディスク当接部１ａと、スライド部材３に当接する作動部１ｂを備え、クランプユニット７の下面に対して、軸７ａを中心として矢印Ａ，Ｂ方向に回動自在に軸止されている。更に、図６に示すように、ディスク当接部１ａのディスク２と当接する側部には、テーパ部１ｃが形成されている。
【００１４】
次に、動作について説明する。
図２に示すように、ディスク挿入時には、ディスク再生装置のディスク挿入口に設けたセンサ（図示せず）でディスク２を検出し、その検出信号を受信した制御回路（図示せず）によってモータを起動させ、モータがギアユニット４を駆動させる。ギアユニット４は、モータの駆動力を利用して、装置内側から見て時計回りに回転する。
また、初期状態ではローラ５はギアユニット４と噛み合っているので、ローラ５もディスク２を挿入する方向（時計回り）に回転する。ディスク２はローラ５上に当接してターンテーブル６に向かって搬送される。
【００１５】
図３，４に示すように、ローラ５により搬送されたディスク２が、所定の位置、即ちターンテーブル６の中心とディスク２の中心とが一致する位置にローディングされる過程において、クランプユニット７に組み付けられた回動レバー１のディスク当接部１ａがディスク２の周面に当接する。そして、ローラ５が継続してディスク２を搬送することにより、ディスク２の周面が回動レバー１のディスク当接部１ａを押し込み、回動レバー１は軸７ａを中心として矢印Ａ方向に回動する。
【００１６】
矢印Ａ方向に回動した回動レバー１の作動部１ｂは、スライド部材３を押し込む。
スライド部材３は矢印Ｃ方向に移動して、ラック部３ａがギアユニット４と噛み合う。そして、スライド部材３はテーパによりローラ５の降下を行う。
ローラ５の降下に伴い、ローラ５上に当接しているディスク２も降下する。ディスク２の中心とターンテーブル６の中心とは一致しているので、降下したディスク２のセンターホール２ａに対してターンテーブル６が嵌入される。
【００１７】
一方、ディスク排出時には、図４に示すように、イジェクト信号等を受信する等して、モータがローディング時と反対方向にギアユニット４を駆動させる。ギアユニット４は、モータの駆動力を利用して、装置内側から見て反時計回りに回転する（ディスク挿入時と逆回転）。
スライド部材３は、ラック部３ａがギアユニット４と噛み合っているので、矢印Ｄ方向へ移動する。
スライド部材３はローラ５を上昇させると共に、回動レバー１の作動部１ｂに当接して、回動レバー１を矢印Ｂ方向へ回動させる。
【００１８】
ローラ５が上昇を継続すると、ディスク２の下面に当接して下から押し上げる。この時、ローラ５はディスク２の一端（前端）のみを押し上げているので、図５中の実線で示すようにディスク２は傾斜した状態になる。
それと同時に回動レバー１も矢印Ｂ方向へ回動を継続しているので、図６に示すように、回動レバー１のディスク当接部１ａがディスク２の周面に当接して二点鎖線で示される位置まで回動し、ディスク２を矢印Ｇ方向に押し出す方向に付勢する。それに伴い、ディスク２の他端（後端）は、ディスク当接部１ａのテーパ部１ｃの斜面に沿って矢印Ｅ方向へ上昇する。
即ち、ディスク２の他端は、図５，６中の実線で示される位置から二点鎖線で示される位置まで上昇する。
その結果、ディスク２は傾斜した状態から姿勢修正され、ターンテーブル６に対して略平行な状態となる。
ローラ５が一定高さまで上昇すると、ディスク２が姿勢修正されたまま押し上げられて、センターホール２ａがターンテーブル６から離脱する。
【００１９】
ローラ５は、最終的に初期位置まで上昇してギアユニット４と噛み合う。ギアユニット４は反時計回りに回転しているので、ローラ５も反時計回りに回転する。
ローラ５は、フリーな状態のディスク２を、ディスク再生装置のディスク挿入口（排出方向）に向かって搬送する（図４，３，２の順に参照）。
【００２０】
以上のように、この実施の形態１によれば、ディスク排出時に、ディスク当接部１ａに設けたテーパ部１ｃで、ローラ５によるディスク２の上昇を補助してディスク２をターンテーブルに対して水平になるように姿勢修正しているので、センターホール２ａの内径が小さかったりバリが発生している場合や、ディスク２の下面がゴムシート６ａに貼り付いている場合でも、ターンテーブル６からディスク２が容易に離脱される効果が得られる。
また、姿勢修正手段の構成部品が回動レバー１のみであり、簡易な構成とすることができる。
【００２１】
実施の形態２．
以下、この発明の実施の形態２について説明する。図７は、この発明の実施の形態２に係るディスク再生装置の内部構成を示した斜視図、図８は、図７中の揺動レバー周辺を拡大して、図７中の矢印Ｉ方向から見た場合の側面図である。
なお、実施の形態１と同様に、ディスク再生装置の縦、横、高さ方向を、それぞれＸ，Ｙ，Ｚ方向（図７参照）とする。
【００２２】
次に、図７，８に基づいて、本発明に係るディスク再生装置の構成について説明する。
図７に示すように、実施の形態２に係るディスク再生装置は、実施の形態１の構成に加えて、揺動レバー９を備えている。
回動レバー１の軸７ａと対向する辺りで、フレーム８の底板を切り起こして固定部８ａが形成されている。揺動レバー９は板状の部材であり、その側板９ｃの略中心付近が、軸８ｂを中心として揺動自在に固定部８ａに軸止されている。
側板９ｃの長手方向（Ｘ方向）において、その一端（前端）から固定部８ａと反対方向（Ｙ方向）に延出されたディスク当接部９ｂと、他端（後端）から同様に延出された支持部９ｄが形成されている。
更に、支持部９ｄの先端には、支持部９ｄを中心とする両側の張り出し部分を下方に向かって傾斜した作動部９ａが形成されている。
【００２３】
次に、動作について説明する。動作についても、実施の形態１と同様の部分については説明を省略する。図５と同様に、ディスク２がターンテーブル６に対して傾斜しているものとする。
図８に示すように、回動レバー１がディスク２に当接して押し出す方向（Ｇ方向）に回動するのに伴い、ディスク当接部１ａの下端が作動部９ａ上に乗り上げる。
【００２４】
回動レバー１が回動を継続すると、ディスク当接部１ａの下端は作動部９ａ（力点）を押し下げる。揺動レバー９は軸８ｂ（支点）を中心として、矢印Ｈ方向に揺動可能であるので、作動部９ａが下がるのに伴い、ディスク当接部９ｂは上昇する。ディスク当接部９ｂ（作用点）は、梃子の原理で下からディスク２を押し上げる。
【００２５】
なお、揺動レバー９のディスク当接部９ｂの初期状態での高さは、挿入されるディスク２の底面の位置よりも低くなるように設定されている。従って、ディスク挿入時に、ディスク２と揺動レバー９とが干渉することはない。
【００２６】
以上のように、この実施の形態２によれば、実施の形態１のテーパ部１ｃによるディスクの姿勢修正に加えて、回動レバー１の回動に伴い揺動レバー９がディスク２を下から押し上げているので、ディスク２のターンテーブル６からの離脱がより容易となる効果が得られる。
また、揺動レバー９を長くすることで、回動レバー１の少し回動でディスク２を大きく上昇させることができる。
【図面の簡単な説明】
【００２７】
【図１】ここの発明の実施の形態１に係るディスク再生装置の内部構成を示した斜視図である。
【図２】図１のディスク再生装置からクランプユニット及びフレームを省略した状態を示した斜視図である。
【図３】図２から変化して、ディスクがターンテーブルの近傍に位置する状態を示した斜視図である。
【図４】図３から変化して、ディスクのセンターホールにターンテーブルが嵌入された状態を示した斜視図である。
【図５】ディスク排出時にローラと姿勢修正機構により、ディスクがターンテーブルから離脱される様子を示した図である。
【図６】図５中の破線部分Ｆを拡大した図である。
【図７】この発明の実施の形態２に係るディスク再生装置の内部構成を示した斜視図である。
【図８】図７中の揺動レバー周辺を拡大して、図７中の矢印Ｉ方向から見た場合の側面図である。
【符号の説明】
【００２８】
１  回動レバー、１ａ  ディスク当接部、１ｂ  作動部、１ｃ  テーパ部、２  ディスク、２ａ  センターホール、３  スライド部材、３ａ  ラック部、４  ギアユニット、５  ローラ、６  ターンテーブル、６ａ  ゴムシート、７  クランプユニット、７ａ  軸、８  フレーム、８ａ  固定部、８ｂ  軸、９  揺動レバー、９ａ  作動部、９ｂ  ディスク当接部、９ｃ  側板、９ｄ  支持部。
【図１】
2007257795.tif 000003
【図２】
2007257795.tif 000004
【図３】
2007257795.tif 000005
【図４】
2007257795.tif 000006
【図５】
2007257795.tif 000007
【図６】
2007257795.tif 000008
【図７】
2007257795.tif 000009
【図８】
2007257795.tif 000010